(57)【要約】【課題】積層接着法を採用した積層鉄心の製造において、打抜きを行う上金型の上下動速度（プレス速度）によらずに接着剤を安定的に塗布する。【解決手段】積層鉄心の製造装置が、上金型４と下金型１１により、間欠移送されるフープ材１から鉄心薄板２を打抜く順送り金型装置３と、下金型内に設けられ、フープ材下面の対応部位に接着剤を塗布する接着剤塗布装置１２とを備え、接着剤塗布装置が、接着剤塗布面に向けて接着剤を吐出する吐出孔６２が設けられた接着剤吐出部３１と、接着剤吐出部に対して常時所定圧力で接着剤を供給する接着剤供給部３２とを有し、上金型が降下してストリッパープレート１０でフープ材を下型上面へ当接させたときに接着剤をフープ材に転写させる構成とする。【選択図】図４
2014197981.tif 000002
【特許請求の範囲】
【請求項１】
帯状薄鋼板から所定の形状に打抜き形成された鉄心薄板を積層接着してなる積層鉄心の製造装置であって、
上金型と下金型とを有し、間欠移送される帯状薄鋼板から鉄心薄板を順次打抜く順送り金型手段と、
前記下金型内に設けられ、前記帯状薄鋼板の前記鉄心薄板に対応する部位に接着剤を塗布する接着剤塗布手段と
を備え、
前記接着剤塗布手段は、前記帯状薄鋼板の接着剤塗布面に向けて接着剤を吐出する吐出孔が設けられた接着剤吐出部と、前記接着剤吐出部に対して常時所定圧力で接着剤を供給する接着剤供給部とを有し、前記上金型が降下してストリッパープレートにより前記帯状薄鋼板を前記下金型上面へと当接させた際に、前記接着剤吐出部から吐出される前記接着剤を前記帯状薄鋼板に転写させることを特徴とする積層鉄心の製造装置。
【請求項２】
前記吐出孔の先端は、前記上金型が降下して前記ストリッパープレートにより前記帯状薄鋼板を前記下金型上面へと当接させた際に、前記帯状薄鋼板から離間していることを特徴とする請求項１に記載の積層鉄心の製造装置。
【請求項３】
前記接着剤塗布手段は、前記接着剤吐出部を前記帯状薄鋼板の接着剤塗布面に対して進退動させる進退駆動部を更に有することを特徴とする請求項１または請求項２に記載の積層鉄心の製造装置。
【請求項４】
前記接着剤塗布手段は、前記吐出孔が複数設けられ、当該複数の吐出孔が連通する接着剤溜まりを有することを特徴とする請求項１乃至請求項３のいずれかに記載の積層鉄心の製造装置。
【発明の詳細な説明】
【技術分野】
【０００１】
本発明は、回転電機の固定子や回転子に用いられる積層鉄心の製造装置に関し、特に、帯状薄鋼板から所定の形状に打抜き形成された鉄心薄板を積層接着してなる積層鉄心の製造装置に関する。
【背景技術】
【０００２】
回転電機用の積層鉄心は一般に、電磁鋼板のフープ材（帯状薄鋼板）を素材として、順送り金型装置により製造される。順送り金型装置では、フープ材に対してパイロット穴やスロット部、内径ティース等の打抜き加工が順次行われて鉄心薄板が連続的にかたちづくられ、外形打抜き後の鉄心薄板を所定の枚数積層して固着させることにより積層鉄心が製造される。鉄心薄板の固着には、各鉄心薄板にかしめ用の凹凸を形成しておき、積層時に圧着させてかしめ結合させる積層かしめ法や、積層後にレーザ溶接等によって鉄心薄板を結合する積層溶接法も存在するが、結合部位の磁気特性の劣化等が生じ難いことから、順送り金型装置内でフープ材の表面に接着剤を塗布し、外形打抜きと同時に鉄心薄板を積層して接着させる積層接着法（特許文献１，２参照）が広く採用されている。
【０００３】
積層接着法に用いる接着剤供給装置としては、例えば、プレス成形ラインの下金型内において上下に摺動自在に保持されたシリンダと、シリンダの先端部に設けられた複数の接着剤転写用ノズルと、シリンダの先端側内部に画成されて、接着液供給通路から所定圧で供給された接着液を貯留する貯留室と、シリンダ内に摺動自在に設けられ、貯留室内の接着液を転写用ノズル方向へ押し出すピストンとを備え、プレス成形機の上金型を下降させてシリンダ先端部を押圧することで、ピストンをシリンダに対して相対的に上昇させて、転写用ノズルから鉄心薄板に向けて接着液が吐出されるようにしたものが存在する（特許文献３参照）。
【先行技術文献】
【特許文献】
【０００４】
【特許文献１】特開２００１−２５２１８号公報
【０００５】
【特許文献２】特開２００１−３２１８５０号公報
【０００６】
【特許文献３】特開２００３−３３７１１号公報
【発明の概要】
【発明が解決しようとする課題】
【０００７】
ところで、上記特許文献３に記載の発明においては、接着液を吐出させるためのシリンダおよびピストンの相対移動がプレス成形機のラム（金型）の上下動によって実現されるため、プレス動作の速度を増大させた場合、転写用ノズルから鉄心薄板に向けて吐出される接着液の速度も増大することとなる。従って、プレス動作速度が一定の限界を超えると、転写用ノズルから接着液が過大に吐出されて接着強度にばらつきが生じる上、接着液が周囲に飛散して金型等に悪影響を及ぼす虞があった。即ち、特許文献１に記載の発明では、鉄心薄板に対する接着液の適切な転写を実現可能な範囲でプレス動作の速度を設定する必要があり、プレス動作の高速化も一定の制約を受けるという課題があった。このような課題は、ラムの上下動によってピストンを直接移動させる構成とした場合も同様に生じ得る。
【０００８】
本発明は、このような従来技術の課題を鑑みて案出されたものであり、積層接着法を採用した積層鉄心の製造において、打抜きを行う帯状薄鋼板の移送速度によらずに接着剤を安定的に塗布することができ、積層鉄心の生産性の向上に寄与する積層鉄心の製造装置を提供することを目的とする。
【課題を解決するための手段】
【０００９】
上記課題を解決するためになされた第１の発明は、帯状薄鋼板（１）から所定の形状に打抜き形成された鉄心薄板（２）を積層接着してなる積層鉄心（１９）の製造装置であって、上金型（４）と下金型（１１）とを有し、間欠移送される帯状薄鋼板から鉄心薄板を順次打抜く順送り金型手段（３）と、前記下金型内に設けられ、前記帯状薄鋼板の前記鉄心薄板に対応する部位に接着剤を塗布する接着剤塗布手段（１２）とを備え、前記接着剤塗布手段は、前記帯状薄鋼板の接着剤塗布面に向けて接着剤を吐出する吐出孔（６２）が設けられた接着剤吐出部（３１）と、前記接着剤吐出部に対して常時所定圧力で接着剤を供給する接着剤供給部（３２）とを有し、前記上金型が降下してストリッパープレート（１０）により前記帯状薄鋼板を前記下金型上面（１１ａ）へと当接させた際に、前記接着剤吐出部から吐出される前記接着剤を前記帯状薄鋼板に転写させる構成とする。
【００１０】
上記課題を解決するためになされた第２の発明として、前記吐出孔の先端は、前記上金型が降下して前記ストリッパープレートにより前記帯状薄鋼板を前記下金型上面へと当接させた際に、前記帯状薄鋼板から離間している構成とすることができる。
【００１１】
上記課題を解決するためになされた第３の発明として、前記接着剤塗布手段は、前記接着剤吐出部を前記帯状薄鋼板の接着剤塗布面に対して進退動させる進退駆動部（３３）を更に有する構成とすることができる。
【００１２】
上記課題を解決するためになされた第４の発明として、前記接着剤塗布手段は、前記吐出孔が複数設けられ、当該複数の吐出孔が連通する接着剤溜まり（６３）を有する構成とすることができる。
【発明の効果】
【００１３】
上記第１の発明によれば、打抜きを行う上下動（プレス上下動）の速度に同期せずに接着剤を安定的に塗布することができ、積層鉄心の生産性の向上に寄与することが可能となる。また、上記第２の発明によれば、帯状薄鋼板に塗布した接着剤が不適切に拡がることを防止し、良好な接着を実現することができる。また、上記第３の発明によれば、簡易な構成により、帯状薄鋼板に対する接着剤塗布処理の実行の有無を切り替えることができる。また、上記第４の発明によれば、複数の吐出孔から定量の接着剤を安定的に吐出させることが可能となる。
【図面の簡単な説明】
【００１４】
【図１】本発明の実施形態に係るストリップレイアウトを示す図
【図２】打抜き後の鉄心薄板の平面図
【図３】順送り金型装置の概略構成図
【図４】図３における接着剤塗布装置周辺を示すＡ部のIV−IV断面図
【図５】図４のＢ部の拡大図
【図６】接着剤供給ノズルの上面図
【図７】接着剤の塗布を行わない場合の接着剤塗布装置の状態を示す図
【発明を実施するための形態】
【００１５】
以下、本発明の実施の形態について図面を参照しながら説明する。
【００１６】
図１は実施形態に係るストリップレイアウトを示す図であり、図２は打抜き後の鉄心薄板の平面図であり、図３は順送り金型装置の概略構成図である。本実施形態では、ステップモータ用の積層鉄心の製造工程が、前半打抜き工程、接着剤塗布工程、外形打抜き工程、回転積層工程、および加熱工程から構成される場合を例として示す。
【００１７】
図１に示す前半打抜き工程において、フープ材１は、パイロット穴Ｐの打抜き加工（１）、内径下穴ｄ１および外形溝用小穴ｈの打抜き加工（２）、スロット部Ｓの打抜き加工（３）、内径ｄの打抜き加工（４）、内径溝（ティース）ｍの打抜き加工（５）を順次施されて、外形を除く鉄心薄板２の基本形状が形成される。このとき、フープ材１は、図３に示す順送り金型装置３内で間欠移送されながら、上下方向に移動する上金型４に取り付けられたパンチ５〜９によって順次打抜き加工が実施される。打抜き加工の際には、上金型４に取り付けられたストリッパープレート１０が下降してフープ材１を下金型１１の上面１１ａに当接させる。なお、図３に示す順送り金型装置３における（１）〜（９）は、図１に示す各工程（１）〜（９）との対応を示すものである。
【００１８】
前半打抜き工程が完了すると、接着剤塗布工程（６）が実施される。このとき、フープ材１への接着剤の塗布は、順送り金型装置３の下金型１１内に設けられた接着剤塗布装置１２により実施され、接着剤は、図２に示すスロット部Ｓ間の磁極部Ｊおよびヨーク部Ｙに相当する複数の転写部位（本実施形態では、各磁極部Ｊの２箇所Ｅ１、ヨーク部Ｙの８箇所Ｅ２）にスポット状に塗布される。なお、後述するように、計量用の鉄心薄板に対しては接着剤の塗布は行われない。
【００１９】
接着剤塗布工程が完了すると、外形打抜き工程（７）が実施される。このとき、順送り金型装置３の上金型４に取り付けられた外形打抜きパンチ１３によって、外形Ｄが打抜かれて鉄心薄板２が完成する。
【００２０】
外形打抜き工程により鉄心薄板２が得られると、回転積層工程（８）が実施される。このとき、図３に示すように、既に打抜きが完了して回転ダイ１４内に積層されている鉄心薄板群１５上に積層され、その後は、回転ダイ１４下部のスクイズリング１６内へと順次押し込まれる。ここで、回転駆動装置１７は、新たに打抜かれた鉄心薄板２が鉄心薄板群１５上に積層される前に、鉄心薄板群１５を保持する回転ダイ１４を所定の角度（例えば、９０°）回転させることができる。これにより、各鉄心薄板２の回転位置を変化させながら積層させ、鉄心薄板２に生じ得る微少な板厚偏差による影響を解消し、製品（積層鉄心）の積み厚を精度良く管理することができる。
【００２１】
回転積層工程が完了すると、加熱工程（９）が実施される。図３に示すように、スクイズリング１６下部には、第１加熱装置１８が設けられており、鉄心薄板群１５は下方に移動しながら加熱される。これにより、各鉄心薄板２間の接着剤を加熱により硬化させて接着強度を高めることができる。加熱装置としては、例えば、鉄心薄板群１５に対して熱風を吹き付けるヒータ装置を用いることができる。第１加熱装置１８による加熱の後、鉄心薄板群１５は各計量用の鉄心薄板の位置で分離され、所定枚数の鉄心薄板２からなる積層鉄心１９が形成される。この積層鉄心１９は、下金型１１の下方に配置されたベルトコンベア２０上に載置され、次工程（図示せず）に搬送される。ベルトコンベア２０の搬送経路の途中には、第２加熱装置２１が設けられており、搬送中の積層鉄心１９が再加熱される。これにより、各鉄心薄板間の接着強度を一層高めることができる。
【００２２】
次に、上記順送り金型装置における接着剤塗布装置の構成およびその接着剤塗布工程の詳細について説明する。図４は図１の接着剤塗布装置周辺を示すＡ部のIV−IV断面図であり、図５は図４のＢ部の拡大図であり、図６は図４の接着剤供給ノズルの上面図であり、図７は図４において接着剤の塗布を行わない場合の接着剤塗布装置の状態を示す図である。
【００２３】
接着剤塗布装置１２は、フープ材１の接着剤塗布面（下面）に向けて適量の接着剤を吐出する接着剤吐出部３１と、接着剤吐出部３１に対して常時所定圧力で接着剤を供給する接着剤供給部３２と、フープ材１の接着剤塗布面に対して略垂直な方向に接着剤吐出部３１を進退動させる進退駆動部３３とを有する。
【００２４】
接着剤吐出部３１は、ベース体４１と、ベース体４１の上面にねじ４２で固定された接着剤導入ブロック４３と、この接着剤導入ブロック４３の上部を収容するノズルブロック４４と、これらのブロック４３，４４を外囲するように配置され、ベース体４１の上面にねじ４５で固定された受け台４６とを備える。
【００２５】
接着剤導入ブロック４３は、略円柱状をなし、その内部に接着剤の導入路として外周面４３ａと上面４３ｂとを結ぶ貫通孔５１が穿設されるとともに、その下部にフランジ部５２が設けられている。
【００２６】
ノズルブロック４４は、略円柱状をなし、その下面４４ａに接着剤導入ブロック４３を摺動自在に収容する凹部６１ａが設けられるとともに、その上面４４ｂには接着剤が凸状に吐出される複数の吐出孔６２が設けられている。図６に示すように、本実施形態における吐出孔６２は、図２に示した接着剤の転写部位Ｅ１，Ｅ２に対応する位置にそれぞれ設けられているが、ここに示したものに限らず、吐出孔６２の形状、サイズ、数量、および配置等は適宜変更することができる。接着剤導入ブロック４３がノズルブロック４４に収容された状態で、凹部６１ａと接着剤導入ブロック４３の上面４３ｂとで画成される空隙は接着剤溜まり６３を構成し、貫通孔５１を介して供給された接着剤が貯留される。これにより、各吐出孔６２から定量の接着剤を安定的に吐出させることが可能となる。また、ノズルブロック４４の下部に設けられたフランジ部６４と接着剤導入ブロック４３のフランジ部５２との間には、ばね６５が張設されている。
【００２７】
受け台４６は、略円筒状をなし、その内周側の上部が縮径されて段差部４６ａが形成されている。この段差部４６ａとノズルブロック４４のフランジ部６４とが係合することで、ノズルブロック４４の上方（即ち、下金型１１の上面１１ａから突出する方向）への移動が規制される。受け台４６の下部は、下金型１１内に固定された下型７１にベース体４１とともに収容される。また、受け台４６の外周側の上部が縮径されて段差部４６ｂが形成されており、この段差部４６ｂと押さえ部材７２とが係合することで、接着剤吐出部３１の上方への移動が規制される。また、受け台４６の上面４６ｃと押さえ部材７２の上端面は、下金型１１の上面１１ａと同一面に設定配置されている。
【００２８】
ここで、図５に示すように、ノズルブロック４４の上面４４ｂ（即ち、吐出孔６２の先端）は、受け台４６の上面４６ｃよりも僅かに低くなるように配置され、これにより、フープ材１とノズルブロック４４の上面４４ｂとの間には一定の間隙αが形成される。従って、上金型４が降下してストリッパープレート１０でフープ材を下金型上面へ当接させたとき、接着剤吐出孔６２を有するノズルブロック４４上面との間に間隙αが構成される。また、上述のように、接着剤導入ブロック４３とノズルブロック４４の間にばね６５が張設された構成とすることで、ノズルブロック４４の上面４４ｂの必要な位置精度（間隙α）を容易に維持できる。また、ノズルブロック４４の組み付けにねじ等の締結手段（およびその配置スペース）が不要となり、また、組み付け作業が容易となるという利点もある。
【００２９】
接着剤供給部３２は、その接着剤タンク（図示せず）内の接着剤を周知の方法（例えば、圧縮空気等）により加圧する加圧装置８１からなり、加圧された接着剤は、その加圧に応じた所定の供給速度で管路８２を介して接着剤吐出部３１に送られる。管路８２は、接着剤用のチューブ８２ａと、下金型１１内（押さえ部材７２、受け台４６等を含む）に形成された連通路８２ｂとにより構成され、接着剤導入ブロック４３の貫通孔５１に接続される。供給された接着剤は、接着剤吐出部３１の接着剤溜まり６３に貯留され、最終的に吐出孔６２から吐出される。
【００３０】
進退駆動部３３は、ベース体４１と係合して接着剤吐出部３１を進退動させる駆動部材９１と、駆動部材９１をその長手方向に移動させるための動力を供給する駆動装置９２とを備える。駆動部材９１は、その上部に直動形の鋸歯状のカム面９１ａが形成されている。カム面９１ａは、ベース体４１の下面に設けられた同様の鋸歯状のカム面４１ａとともにカム機構を構成し、接着剤吐出部３１の進退動を可能とする。図４では、カム面９１ａおよびカム面４１ａが非係合状態（互いに噛合していない状態）にある場合を示しており、このとき、接着剤吐出部３１は上限位置にあって接着剤の塗布処理が可能な状態にある。駆動装置９２としては、駆動部材９１の直線運動を実現する周知のアクチュエータ（例えば、流体シリンダ、ソレノイド等）を用いることができる。なお、カム機構の構成は適宜変更することができる。
【００３１】
次に、上記構成の接着剤塗布装置１２による接着剤塗布工程の概要について説明する。接着剤の塗布処理を実行する場合（即ち、フープ材１における対象部位が計量用の鉄心薄板に対応しない場合）、前半打抜き工程が完了したフープ材１の移送動作が完了すると、次のプレス動作によりストリッパープレート１０が下降し、フープ材１を下金型１１の上面１１ａに当接させる。このとき、接着剤溜まり６３に貯留された接着剤は、図５に示したように、加圧装置８１によって所定の圧力に加圧されており、接着剤吐出部３１は開口しているので、開口の面積と加圧力に応じた速度でノズルブロック４４の吐出孔６２から前記間隙αの上方つまりフープ材下面方向へ盛り上がって形成され伸びていく。これによって上金型の上下動により、上金型が降下してストリッパープレート１０でフープ材を下金型上面へ当接するときと、接着剤が吐出孔６２から盛り上がっていくタイミングを合わせることで、フープ材１下面の所定位置へスポット状に接着剤を転写する（図２のＥ１、Ｅ２参照）。その後、接着剤が塗布されたフープ材は次の外形打抜き積層工程へ搬送される。なお、接着剤が良好に転写されるためには、上金型の上下動速度（プレス速度）と接着剤の転写面積によって接着剤供給部における加圧力を制御設定することで最適条件を見出すことが可能である。
【００３２】
このように、打抜きを行う上金型の上下動速度（プレス速度）に同期せずに接着剤を安定的に塗布することができ、積層鉄心の生産性向上に寄与することが可能となる。この場合、接着剤の供給は、プレス動作とは無関係であるので、接着剤の塗布工程がプレス動作の影響を受けることもない。また間隙αを、設けて接着剤を吐出口から吐出させる構成とすることで、フープ材の下面がノズルブロック４４の上面４４ｂすなわち吐出孔６２先端へ密着して接着剤が不適切に拡がることを防止し、良好なスポット形状を維持できる。
【００３３】
一方、接着剤の塗布処理を実行しない場合（即ち、フープ材１における対象部位が計量用の鉄心薄板に対応する場合）、フープ材１が下金型１１の上面１１ａに当接する前に、駆動装置９２が起動して駆動部材９１を図７の矢印方向に移動させる。これにより、駆動部材９１のカム面９１ａとベース体４１のカム面４１ａとが係合状態（互いに噛合した状態）となって、接着剤吐出部３１が図４に示す上限位置から図７に示す下限位置まで下降する。その結果、フープ材１とノズルブロック４４の上面４４ｂとの間の間隙αが拡がり、接着剤をフープ材１の下面に転写させないようにすることを容易に実現できる。
【００３４】
本発明を特定の実施形態に基づいて詳細に説明したが、これらの実施形態はあくまでも例示であって本発明はこれらの実施形態によって限定されるものではない。例えば、本発明に係る積層鉄心の製造装置は、上述のステップモータに限らず、通常のモータコア用の積層鉄心にも適用可能である。
【符号の説明】
【００３５】
１  フープ材
２  鉄心薄板
３  順送り金型装置
４  上金型
１０  ストリッパープレート
１１  下金型
１１ａ  下金型の上面
１２  接着剤塗布装置
１５  鉄心薄板群
１６  スクイズリング
１７  回転駆動装置
１８  第１加熱装置
１９  積層鉄心
２１  第２加熱装置
３１  接着剤吐出部
３２  接着剤供給部
３３  進退駆動部
４３  接着剤導入ブロック
４４  ノズルブロック
４６  受け台
４６ｃ  受け台上面
６２  吐出孔
６３  接着剤溜まり
７２  押さえ部材
８１  加圧装置
９１  駆動部材
９２  駆動装置
【図１】
2014197981.tif 000003
【図２】
2014197981.tif 000004
【図３】
2014197981.tif 000005
【図４】
2014197981.tif 000006
【図５】
2014197981.tif 000007
【図６】
2014197981.tif 000008
【図７】
2014197981.tif 000009
【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
帯状薄鋼板から所定の形状に打抜き形成された鉄心薄板を積層接着してなる積層鉄心の製造装置であって、
上金型と下金型とを有し、間欠移送される帯状薄鋼板から鉄心薄板を順次打抜く順送り金型手段と、
前記下金型内に設けられ、前記帯状薄鋼板の前記鉄心薄板に対応する部位に接着剤を塗布する接着剤塗布手段と
を備え、
前記接着剤塗布手段は、前記帯状薄鋼板の接着剤塗布面に向けて接着剤を吐出する複数の吐出孔及び当該複数の吐出孔が連通する接着剤溜まりが設けられた接着剤吐出部と、前記接着剤吐出部に対して所定の圧力で接着剤を供給することにより、前記接着剤溜まりを介して前記複数の吐出孔から接着剤を吐出させる接着剤供給部とを有し、前記上金型が降下して前記帯状薄鋼板を前記下金型上面へと当接させた際に、前記吐出部から吐出される前記接着剤を前記帯状薄鋼板に転写させることを特徴とする積層鉄心の製造装置。
【請求項２】
前記接着剤塗布手段は、前記接着剤吐出部における前記接着剤に対する加圧力を制御することを特徴とする請求項１に記載の積層鉄心の製造装置。
【請求項３】
前記吐出孔の先端は、前記上金型が降下してストリッパプレートにより前記帯状薄鋼板を前記下金型上面へと当接させた際に、前記帯状薄鋼板から離間していることを特徴とする請求項１または請求項２に記載の積層鉄心の製造装置。
【請求項４】
前記接着剤塗布手段は、前記接着剤吐出部を前記帯状薄鋼板の接着剤塗布面に対して進退動させる進退駆動部を更に有することを特徴とする請求項１から請求項３のいずれかに記載の積層鉄心の製造装置。